(57)【要約】【課題】ケーブルテレビ用の同軸ケーブル、電力線、及び電話線を全て用いて近距離通信を行うことができる電力線モデム、及びそれを用いた近距離通信システムを提供することを目的とする。【解決手段】本発明による電力線モデムは、連結するための接続手段と、印加信号をフィルターリングする帯域フィルターと、近距離通信用の電気信号とデータ信号を相互に変換する信号処理器と、印加信号をフィルターリングし音声信号のみを通過させる雑音フィルターと、放送信号を前記帯域フィルターにカップリングし、近距離通信用の電気信号を前記信号処理器にカップリングし、前記信号処理器で変換した近距離通信用の電気信号を伝送し、音声信号を前記雑音フィルターにカップリングし、前記雑音フィルターを通過した音声信号を伝送するカップリング部と、を含むことを特徴とする。【選択図】図２
2009033745.tif 000002
【特許請求の範囲】
【請求項１】
同軸ケーブル、電力線、電話線、テレビ受像機、ユーザー端末機、及び電話機を連結するための接続手段と、
印加される信号をフィルターリングして、前記同軸ケーブルを通じて伝送される放送信号のみを前記テレビ受像機に供給する帯域フィルターと、
前記同軸ケーブル、前記電力線、及び前記電話線を通じて伝送された近距離通信用の電気信号の中から選択された最適の近距離通信用の電気信号をデータ信号に変換して前記ユーザー端末機に供給し、前記ユーザー端末機から発信されたデータ信号を近距離通信用の電気信号に変換する信号処理器と、
印加された信号をフィルターリングして雑音を除去すると共に、前記電話線を通じて伝送された音声信号のみを前記電話機に供給し、前記電話機から発信された音声信号を通過させる雑音フィルターと、
前記同軸ケーブルを通じて伝送された放送信号を前記帯域フィルターにカップリングさせて、前記同軸ケーブル、前記電力線、及び前記電話線を通じて伝送された近距離通信用の電気信号の中から最適の近距離通信用の電気信号を選択し前記信号処理器にカップリングさせて、前記信号処理器により変換された近距離通信用の電気信号を前記同軸ケーブル、前記電力線、及び前記電話線を通じて伝送させて、前記電話線を通じて伝送された音声信号を前記雑音フィルターにカップリングして、前記雑音フィルターを通過した音声信号を前記電話線を通じて伝送するカップリング部と、を含むことを特徴とする多重機能を有する電力線モデム。
【請求項２】
前記接続手段は、
前記同軸ケーブルを連結するための第１接続ポートと、
前記電話線を連結するための第２接続ポートと、
前記テレビ受像機を連結するための第３接続ポートと、
前記ユーザー端末機を連結するための第４接続ポートと、
前記電話機を連結するための第５接続ポートと、
前記電力線を連結するためのプラグと、を含むことを特徴とする請求項１記載の多重機能を有する電力線モデム。
【請求項３】
前記信号処理器は、
前記カップリング部を通じて選択された最適の近距離通信用の電気信号を近距離通信用のデジタル信号に変換させて、前記ユーザー端末機から出力されたデジタル信号が変換された近距離通信用のデジタル信号を近距離通信用の電気信号に変換させるための第１信号変換部と、
前記第１信号変換部により変換された近距離通信用のデジタル信号をデータ信号に変換させて、前記ユーザー端末機から出力されたデータ信号を近距離通信用のデジタル信号に変換させて前記第１信号変換部に出力する第２信号変換部と、
前記第２信号変換部により変換されたデジタル信号を前記ユーザー端末機に接続させて、前記ユーザー端末機から出力されたデータ信号を前記第２信号変換部に接続させるためのインタフェースと、
前記第１信号変換部により変換された近距離通信用の電気信号を増幅して前記カップリング部に出力するラインドライバーと、を含むことを特徴とする請求項１又は２記載の多重機能を有する電力線モデム。
【請求項４】
同軸ケーブル、電力線、テレビ受像機、及びユーザー端末機を連結するための接続手段と、
印加される信号をフィルターリングして、前記同軸ケーブルを通じて伝送される放送信号のみを前記テレビ受像機に供給する帯域フィルターと、
前記同軸ケーブル及び前記電力線を通じて伝送された近距離通信用の電気信号の中から選択された最適の近距離通信用の電気信号をデータ信号に変換して前記ユーザー端末機に供給し、前記ユーザー端末機から発信されたデータ信号を近距離通信用の電気信号に変換させる信号処理器と、
前記同軸ケーブルを通じて伝送された放送信号を前記帯域フィルターにカップリングさせて、前記同軸ケーブル及び前記電力線を通じて伝送された近距離通信用の電気信号の中から最適の近距離通信用の電気信号を選択し前記信号処理器にカップリングさせて、前記信号処理器により変換された近距離通信用の電気信号を前記同軸ケーブル及び前記電力線を通じて伝送するカップリング部と、を含むことを特徴とする多重機能を有する電力線モデム。
【請求項５】
前記接続手段は、
前記同軸ケーブルを連結するための第１接続ポートと、
前記テレビ受像機を連結するための第３接続ポートと、
前記ユーザー端末機を連結するための第４接続ポートと、
前記電力線を連結するためのプラグと、を含むことを特徴とする請求項４記載の多重機能を有する電力線モデム。
【請求項６】
前記信号処理器は、
前記カップリング部を通じて選択された最適の近距離通信用の電気信号を近距離通信用のデジタル信号に変換させて、前記ユーザー端末機から出力されたデジタル信号が変換された近距離通信用のデジタル信号を近距離通信用の電気信号に変換させるための第１信号変換部と、
前記第１信号変換部により変換された近距離通信用のデジタル信号をデータ信号に変換させて、前記ユーザー端末機から出力されたデータ信号を近距離通信用のデジタル信号に変換させて前記第１信号変換部に出力する第２信号変換部と、
前記第２信号変換部により変換されたデジタル信号を前記ユーザー端末機に接続させて、前記ユーザー端末機から出力されたデータ信号を前記第２信号変換部に接続させるためのインタフェースと、
前記第１信号変換部により変換された近距離通信用の電気信号を増幅して前記カップリング部に出力するラインドライバーと、を含むことを特徴とする請求項４又は５記載の多重機能を有する電力線モデム。
【請求項７】
電力線、電話線、ユーザー端末機、及び電話機を連結するための接続手段と、
前記電力線及び前記電話線を通じて伝送された近距離通信用の電気信号の中から選択された最適の近距離通信用の電気信号をデータ信号に変換して前記ユーザー端末機に供給し、前記ユーザー端末機から発信されたデータ信号を近距離通信用の電気信号に変換させる信号処理器と、
印加された信号をフィルターリングして雑音を除去すると共に、前記電話線を通じて伝送された音声信号のみを前記電話機に供給し、前記電話機から発信された音声信号を通過させる雑音フィルターと、
前記電力線及び前記電話線を通じて伝送された近距離通信用の電気信号の中から最適の近距離通信用の電気信号を選択し前記信号処理器にカップリングさせて、前記信号処理器により変換された近距離通信用の電気信号を前記電力線及び前記電話線を通じて伝送して、前記電話線を通じて伝送された音声信号を前記雑音フィルターにカップリングさせて、前記雑音フィルターを通過した音声信号を前記電話線を通じて伝送するカップリング部と、を含むことを特徴とする多重機能を有する電力線モデム。
【請求項８】
前記接続手段は、
前記電話線を連結するための第２接続ポートと、
前記ユーザー端末機を連結するための第４接続ポートと、
前記電話機を連結するための第５接続ポートと、
前記電力線を連結するためのプラグと、を含むことを特徴とする請求項７記載の多重機能を有する電力線モデム。
【請求項９】
前記信号処理器は、
前記カップリング部を通じて選択された最適の近距離通信用の電気信号を近距離通信用のデジタル信号に変換させて、前記ユーザー端末機から出力されたデジタル信号が変換された近距離通信用のデジタル信号を近距離通信用の電気信号に変換させるための第１信号変換部と、
前記第１信号変換部により変換された近距離通信用のデジタル信号をデータ信号に変換させて、前記ユーザー端末機から出力されたデータ信号を近距離通信用のデジタル信号に変換させて前記第１信号変換部に出力する第２信号変換部と、
前記第２信号変換部により変換されたデジタル信号を前記ユーザー端末機に接続させて、前記ユーザー端末機から出力されたデータ信号を前記第２信号変換部に接続させるためのインタフェースと、
前記第１信号変換部により変換された近距離通信用の電気信号を増幅して前記カップリング部に出力するラインドライバーと、を含むことを特徴とする請求項７又は８記載の多重機能を有する電力線モデム。
【請求項１０】
放送信号と近距離通信用の電気信号を伝送するための同軸ケーブルと、
電力を供給して近距離通信用の電気信号を伝送するための電力線と、
音声信号と近距離通信用の電気信号を伝送するための電話線と、
近距離通信を行うための多数のユーザー端末機と、
前記同軸ケーブル、前記電力線、及び前記電話線に連結され、前記多数のユーザー端末機のいずれかのユーザー端末機に接続され、自身と接続されたユーザー端末機から出力されたデータ信号を近距離通信用の電気信号に変換させて前記同軸ケーブル、前記電力線、及び前記電話線に伝送して、前記同軸ケーブル、前記電力線、及び前記電話線を通じて伝送された近距離通信用の電気信号の中から最適の近距離通信用の電気信号をデータ信号に変換して自身と接続されたユーザー端末機に伝送する多数の電力線モデムと、を含むことを特徴とする電力線モデムを用いた近距離通信システム。
【請求項１１】
前記多数の電力線モデムはそれぞれ、
前記同軸ケーブル、前記電力線、前記電話線、テレビ受像機、電話機、及び前記多数のユーザー端末機のうち自身と接続されるユーザー端末機を連結するための接続手段と、
印加される信号をフィルターリングして、前記同軸ケーブルを通じて伝送される放送信号のみを前記テレビ受像機に供給する帯域フィルターと、
前記同軸ケーブル、前記電力線、及び前記電話線を通じて伝送された近距離通信用の電気信号の中から選択された最適の近距離通信用の電気信号をデータ信号に変換して自身と接続されたユーザー端末機に供給し、自身と接続されたユーザー端末機から発信されたデータ信号を近距離通信用の電気信号に変換する信号処理器と、
印加された信号をフィルターリングして雑音を除去すると共に、前記電話線を通じて伝送された音声信号のみを前記電話機に供給し、前記電話機から発信された音声信号を通過させる雑音フィルターと、
前記同軸ケーブルを通じて伝送された放送信号を前記帯域フィルターにカップリングさせて、前記同軸ケーブル、前記電力線、及び前記電話線を通じて伝送された近距離通信用の電気信号の中から最適の近距離通信用の電気信号を選択し前記信号処理器にカップリングさせて、前記信号処理器により変換された近距離通信用の電気信号を前記同軸ケーブル、前記電力線、及び前記電話線を通じて伝送して、前記電話線を通じて伝送された音声信号を前記雑音フィルターにカップリングさせて、前記雑音フィルターを通過した音声信号を前記電話線を通じて伝送するカップリング部と、を含むことを特徴とする請求項１０記載の電力線モデムを用いた近距離通信システム。
【請求項１２】
前記信号処理器は、
前記カップリング部を通じて選択された最適の近距離通信用の電気信号を近距離通信用のデジタル信号に変換させて、自身と接続されたユーザー端末機から出力されたデジタル信号が変換された近距離通信用のデジタル信号を近距離通信用の電気信号に変換させるための第１信号変換部と、
前記第１信号変換部により変換された近距離通信用のデジタル信号をデータ信号に変換させて、自身と接続されたユーザー端末機から出力されたデータ信号を近距離通信用のデジタル信号に変換させて前記第１信号変換部に出力する第２信号変換部と、
前記第２信号変換部により変換されたデジタル信号を自身と接続されたユーザー端末機に接続させて、自身と接続されたユーザー端末機から出力されたデータ信号を前記第２信号変換部に接続させるためのインタフェースと、
前記第１信号変換部により変換された近距離通信用の電気信号を増幅して前記カップリング部に出力するラインドライバーと、を含むことを特徴とする請求項１１記載の電力線モデムを用いた近距離通信システム。
【請求項１３】
放送信号と近距離通信用の電気信号を伝送するための同軸ケーブルと、
電力を供給して近距離通信用の電気信号を伝送するための電力線と、
近距離通信を行うための多数のユーザー端末機と、
前記同軸ケーブル及び前記電力線に連結され、前記多数のユーザー端末機のいずれかのユーザー端末機に接続され、自身と接続されたユーザー端末機から出力されたデータ信号を近距離通信用の電気信号に変換させて前記同軸ケーブル及び前記電力線に伝送して、前記同軸ケーブル及び前記電力線を通じて伝送された近距離通信用の電気信号の中から最適の近距離通信用の電気信号をデータ信号に変換させて自身と接続されたユーザー端末機に伝送する多数の電力線モデムと、を含むことを特徴とする電力線モデムを用いた近距離通信システム。
【請求項１４】
前記多数の電力線モデムはそれぞれ、
前記同軸ケーブル、前記電力線、テレビ受像機、及び前記多数のユーザー端末機のうち自身と接続されるユーザー端末機を連結するための接続手段と、
印加される信号をフィルターリングして、前記同軸ケーブルを通じて伝送される放送信号のみを前記テレビ受像機に供給する帯域フィルターと、
前記同軸ケーブル及び前記電力線を通じて伝送された近距離通信用の電気信号の中から選択された最適の近距離通信用の電気信号をデータ信号に変換して自身と接続されたユーザー端末機に供給し、自身と接続されたユーザー端末機から発信されたデータ信号を近距離通信用の電気信号に変換する信号処理器と、
前記同軸ケーブルを通じて伝送された放送信号を前記帯域フィルターにカップリングさせて、前記同軸ケーブル及び前記電力線を通じて伝送された近距離通信用の電気信号の中から最適の近距離通信用の電気信号を選択し前記信号処理器にカップリングさせて、前記信号処理器により変換された近距離通信用の電気信号を前記同軸ケーブル及び前記電力線を通じて伝送するカップリング部と、を含むことを特徴とする請求項１３記載の電力線モデムを用いた近距離通信システム。
【請求項１５】
前記信号処理器は、
前記カップリング部を通じて選択された最適の近距離通信用の電気信号を近距離通信用のデジタル信号に変換させて、自身と接続されたユーザー端末機から出力されたデジタル信号が変換された近距離通信用のデジタル信号を近距離通信用の電気信号に変換させるための第１信号変換部と、
前記第１信号変換部により変換された近距離通信用のデジタル信号をデータ信号に変換させて、自身と接続されたユーザー端末機から出力されたデータ信号を近距離通信用のデジタル信号に変換させて前記第１信号変換部に出力する第２信号変換部と、
前記第２信号変換部により変換されたデジタル信号を自身と接続されたユーザー端末機に接続させて、自身と接続されたユーザー端末機から出力されたデータ信号を前記第２信号変換部に接続させるためのインタフェースと、
前記第１信号変換部により変換された近距離通信用の電気信号を増幅して前記カップリング部に出力するラインドライバーと、を含むことを特徴とする請求項１４記載の電力線モデムを用いた近距離通信システム。
【請求項１６】
電力を供給して近距離通信用の電気信号を伝送するための電力線と、
音声信号と近距離通信用の電気信号を伝送するための電話線と、
近距離通信を行うための多数のユーザー端末機と、
前記電力線及び前記電話線に連結され、前記多数のユーザー端末機のいずれかのユーザー端末機に接続され、自身と接続されたユーザー端末機から出力されたデータ信号を近距離通信用の電気信号に変換して前記電力線及び前記電話線に伝送して、前記電力線及び前記電話線を通じて伝送された近距離通信用の電気信号の中から最適の近距離通信用の電気信号をデータ信号に変換して自身と接続されたユーザー端末機に伝送する多数の電力線モデムと、を含むことを特徴とする電力線モデムを用いた近距離通信システム。
【請求項１７】
前記多数の電力線モデムはそれぞれ、
前記電力線、前記電話線、電話機、及び前記多数のユーザー端末機のうち自身と接続されるユーザー端末機を連結するための接続手段と、
前記電力線及び前記電話線を通じて伝送された近距離通信用の電気信号の中から選択された最適の近距離通信用の電気信号をデータ信号に変換させて自身と接続されたユーザー端末機に供給し、自身と接続されたユーザー端末機から発信されたデータ信号を近距離通信用の電気信号に変換させる信号処理器と、
前記電力線及び前記電話線を通じて伝送された近距離通信用の電気信号の中から最適の近距離通信用の電気信号を選択し前記信号処理器にカップリングさせて、前記信号処理器により変換された近距離通信用の電気信号を前記電力線及び前記電話線を通じて伝送するカップリング部と、を含むことを特徴とする請求項１６記載の電力線モデムを用いた近距離通信システム。
【請求項１８】
前記信号処理器は、
前記カップリング部を通じて選択した最適の近距離通信用の電気信号を近距離通信用のデジタル信号に変換させて、自身と接続されたユーザー端末機から出力されたデジタル信号が変換された近距離通信用のデジタル信号を近距離通信用の電気信号に変換させるための第１信号変換部と、
前記第１信号変換部により変換された近距離通信用のデジタル信号をデータ信号に変換させて、自身と接続されたユーザー端末機から出力されたデータ信号を近距離通信用のデジタル信号に変換させて前記第１信号変換部に出力する第２信号変換部と、
前記第２信号変換部により変換されたデジタル信号を自身と接続されたユーザー端末機に接続させて、自身と接続されたユーザー端末機から出力されたデータ信号を前記第２信号変換部に接続させるためのインタフェースと、
前記第１信号変換部により変換された近距離通信用の電気信号を増幅して前記カップリング部に出力するラインドライバーと、を含むことを特徴とする請求項１７記載の電力線モデムを用いた近距離通信システム。
【発明の詳細な説明】
【技術分野】
【０００１】
本発明は電力線モデム及びそれを用いたＬＡＮシステムに関するものであって、特にケーブルテレビ(Cable TV)用の同軸ケーブル(Coaxial Cable)、電力線(Power Line)、及び電話線(Phone Line)を全て用いて近距離通信を行うことができる電力線モデム及びそれを用いた近距離通信システムに関するものである。
【背景技術】
【０００２】
会社や家庭などの一定空間内に位置した多数のコンピューターやＯＡ機器との間で通信を行う近距離通信網には、代表的にＬＡＮ(Local Area Network)があり、このＬＡＮは、範囲が余り広くない一定地域内で多数のコンピューターやＯＡ機器等を速度の速い通信線路で連結し、機器間で通信を可能にする。ここで、コンピューターやＯＡ機器は、ＬＡＮケーブルを通じて連結されるのが一般的であるが、ＬＡＮケーブルが設置し難い空間では電力線モデムを通じて連結される。
【０００３】
一般的に、電力線モデムは、電力線方式のモデムとも呼ばれ、通信の媒体が電力線であるモデムをいう。電力線モデムは、単相又は三相の一般家庭用電源に、伝送しようとするデータを適宜な方式で変調した後に送信し、送信した方式と同一の変調方式でデータを受信した後に復調する。したがって、電源線路をそのまま用いるため、線路架設による費用の負担がなく近距離データ通信や各種の自動化に使用される。電力線モデムは、伝送媒体として電力ネットワークを利用して通信する。
【０００４】
このような機能を有する従来の電力線モデムは、電力線のみを用いて近距離通信を行えるようにするため、会社や家庭内に敷設された有線テレビ用の同軸ケーブル及び電話線を、近距離通信に活用できないという短所を有する。さらに、電力線は、テレビ受像機、冷蔵庫、及びエアコンなどの電気製品が接続されて電力を消費するため、従来の電力線モデムを通じて近距離通信信号を伝送する場合は、電気製品の電力消費により近距離通信信号が減殺されるという問題点がある。さらに、従来の電力線モデムのように電力線を使用する場合、隣家との間に通信信号の干渉が発生して近距離通信の性能が劣るという問題点がある。そして各種のノイズ、信号減殺の要因、及びインピーダンス変動などの外乱により近距離通信の性能が影響を受け、安定的な近距離通信ができないという問題点がある。
【０００５】
【特許文献１】韓国特許出願公開第２００２−０００６７７３号明細書
【発明の開示】
【発明が解決しようとする課題】
【０００６】
本発明は前記問題点を解決するためのものであって、本発明の目的は、ケーブルテレビ用の同軸ケーブル、電力線、及び電話線を全て用いて近距離通信を行うことができる電力線モデム、及びそれを用いた近距離通信システムを提供することにある。
【０００７】
本発明の別の目的は、ケーブルテレビ用の同軸ケーブル、電力線、及び電話線を全て用いて近距離通信を行うことにより、電力線に接続された電気製品の電力消費による影響を受けずに、最適の近距離通信を行えるようにする電力線モデム、及びそれを用いた近距離通信システムを提供することにある。
【０００８】
本発明のさらに別の目的は、ケーブルテレビ用の同軸ケーブル、電力線、及び電話線を全て用いて近距離通信を行うことにより、同軸ケーブル及び電話線の活用性を高めることができる電力線モデム及びそれを用いた近距離通信システムを提供することにある。
【０００９】
本発明のさらに別の目的は、ブロッキングフィルターを用いることなくケーブルテレビ用の同軸ケーブル、電力線、及び電話線を全て用いて近距離通信を行うことができる電力線モデム及びそれを用いた近距離通信システムを提供することにある。
【課題を解決するための手段】
【００１０】
このような目的を達成するための本発明の一実施例による多重機能を有する電力線モデムは、同軸ケーブル、電力線、電話線、テレビ受像機、ユーザー端末機、及び電話機を連結するための接続手段と、印加される信号をフィルターリングして、前記同軸ケーブルを通じて伝送される放送信号のみを前記テレビ受像機に供給する帯域フィルターと、前記同軸ケーブル、前記電力線、及び前記電話線を通じて伝送された近距離通信用の電気信号の中から選択された最適の近距離通信用の電気信号をデータ信号に変換して前記ユーザー端末機に供給し、前記ユーザー端末機から発信されたデータ信号を近距離通信用の電気信号に変換させる信号処理器と、印加された信号をフィルターリングして雑音を除去すると共に、前記電話線を通じて伝送された音声信号のみを前記電話機に供給し、前記電話機から発信された音声信号を通過させる雑音フィルターと、前記同軸ケーブルを通じて伝送された放送信号を前記帯域フィルターにカップリングさせて、前記同軸ケーブル、前記電力線、及び前記電話線を通じて伝送された近距離通信用の電気信号の中から最適の近距離通信用の電気信号を選択し前記信号処理器にカップリングさせて、前記信号処理器により変換された近距離通信用の電気信号を前記同軸ケーブル、前記電力線、及び前記電話線を通じて伝送して、前記電話線を通じて伝送された音声信号を前記雑音フィルターにカップリングさせて、前記雑音フィルターを通過した音声信号を前記電話線を通じて伝送するカップリング部と、を含むことを特徴とする。
【００１１】
本発明の別の実施例による多重機能を有する電力線モデムは、同軸ケーブル、電力線、テレビ受像機、及びユーザー端末機を連結するための接続手段と、印加される信号をフィルターリングして、前記同軸ケーブルを通じて伝送される放送信号のみを前記テレビ受像機に供給する帯域フィルターと、前記同軸ケーブル及び前記電力線を通じて伝送された近距離通信用の電気信号の中から選択された最適の近距離通信用の電気信号をデータ信号に変換して前記ユーザー端末機に供給し、前記ユーザー端末機から発信されたデータ信号を近距離通信用の電気信号に変換させる信号処理器と、前記同軸ケーブルを通じて伝送された放送信号を前記帯域フィルターにカップリングさせて、前記同軸ケーブル及び前記電力線を通じて伝送された近距離通信用の電気信号の中から最適の近距離通信用の電気信号を選択し前記信号処理器にカップリングさせて、前記信号処理器により変換された近距離通信用の電気信号を前記同軸ケーブル及び前記電力線を通じて伝送するカップリング部と、を含むことを特徴とする。
【００１２】
本発明のさらに別の実施例による多重機能を有する電力線モデムは、電力線、電話線、ユーザー端末機、及び電話機を連結するための接続手段と、前記電力線及び前記電話線を通じて伝送された近距離通信用の電気信号の中から選択された最適の近距離通信用の電気信号をデータ信号に変換して前記ユーザー端末機に供給し、前記ユーザー端末機から発信されたデータ信号を近距離通信用の電気信号に変換させる信号処理器と、印加された信号をフィルターリングして雑音を除去すると共に、前記電話線を通じて伝送された音声信号のみを前記電話機に供給し、前記電話機から発信された音声信号を通過させる雑音フィルターと、前記電力線及び前記電話線を通じて伝送された近距離通信用の電気信号の中から最適の近距離通信用の電気信号を選択し前記信号処理器にカップリングさせて、前記信号処理器により変換された近距離通信用の電気信号を前記電力線及び前記電話線を通じて伝送して、前記電話線を通じて伝送された音声信号を前記雑音フィルターにカップリングさせて、前記雑音フィルターを通過した音声信号を前記電話線を通じて伝送するカップリング部と、を含むことを特徴とする。
【００１３】
前記信号処理器は、前記カップリング部を通じて選択された最適の近距離通信用の電気信号を近距離通信用のデジタル信号に変換させて、前記ユーザー端末機から出力されたデジタル信号が変換された近距離通信用のデジタル信号を近距離通信用の電気信号に変換させるための第１信号変換部と、前記第１信号変換部により変換された近距離通信用のデジタル信号をデータ信号に変換させて、前記ユーザー端末機から出力されたデータ信号を近距離通信用のデジタル信号に変換させて前記第１信号変換部に出力する第２信号変換部と、前記第２信号変換部により変換されたデジタル信号を前記ユーザー端末機に接続させて、前記ユーザー端末機から出力されたデータ信号を前記第２信号変換部に接続させるためのインタフェースと、及び、前記第１信号変換部により変換された近距離通信用の電気信号を増幅して前記カップリング部に出力するラインドライバーと、を含むことを特徴とする。
【００１４】
本発明の一実施例による電力線モデムを用いた近距離通信システムは、放送信号と近距離通信用の電気信号を伝送するための同軸ケーブルと、電力を供給して近距離通信用の電気信号を伝送するための電力線と、音声信号と近距離通信用の電気信号を伝送するための電話線と、近距離通信を行うための多数のユーザー端末機と、前記同軸ケーブル、前記電力線、及び前記電話線に連結され、前記多数のユーザー端末機のいずれかのユーザー端末機に接続され、自身と接続されたユーザー端末機から出力されたデータ信号を近距離通信用の電気信号に変換させて前記同軸ケーブル、前記電力線、及び前記電話線に伝送して、前記同軸ケーブル、前記電力線、及び前記電話線を通じて伝送された近距離通信用の電気信号の中から最適の近距離通信用の電気信号をデータ信号に変換して自身と接続されたユーザー端末機に伝送する多数の電力線モデムと、を含むことを特徴とする。
【００１５】
ここで、前記多数の電力線モデムはそれぞれ、前記同軸ケーブル、前記電力線、前記電話線、テレビ受像機、電話機、及び前記多数のユーザー端末機のうち、自身と接続されるユーザー端末機を連結するための接続手段と、印加される信号をフィルターリングして、前記同軸ケーブルを通じて伝送される放送信号のみを前記テレビ受像機に供給する帯域フィルターと、前記同軸ケーブル、前記電力線、及び前記電話線を通じて伝送された近距離通信用の電気信号の中から選択された最適の近距離通信用の電気信号をデータ信号に変換して自身と接続されたユーザー端末機に供給し、自身と接続されたユーザー端末機から発信されたデータ信号を近距離通信用の電気信号に変換する信号処理器と、印加された信号をフィルターリングして雑音を除去すると共に、前記電話線を通じて伝送された音声信号のみを前記電話機に供給し、前記電話機から発信された音声信号を通過させる雑音フィルターと、前記同軸ケーブルを通じて伝送された放送信号を前記帯域フィルターにカップリングさせて、前記同軸ケーブル、前記電力線、及び前記電話線を通じて伝送された近距離通信用の電気信号の中から最適の近距離通信用の電気信号を選択し前記信号処理器にカップリングさせて、前記信号処理器により変換された近距離通信用の電気信号を前記同軸ケーブル、前記電力線、及び前記電話線を通じて伝送して、前記電話線を通じて伝送された音声信号を前記雑音フィルターにカップリングさせて、前記雑音フィルターを通過した音声信号を前記電話線を通じて伝送するカップリング部と、を含むことを特徴とする。
【００１６】
本発明の別の実施例による電力線モデムを用いた近距離通信システムは、放送信号と近距離通信用の電気信号を伝送するための同軸ケーブルと、電力を供給して近距離通信用の電気信号を伝送するための電力線と、近距離通信を行うための多数のユーザー端末機と、前記同軸ケーブル及び前記電力線に連結され、前記多数のユーザー端末機のいずれかのユーザー端末機に接続され、自身と接続されたユーザー端末機から出力されたデータ信号を近距離通信用の電気信号に変換して前記同軸ケーブル及び前記電力線に伝送して、前記同軸ケーブル及び前記電力線を通じて伝送された近距離通信用の電気信号の中から最適の近距離通信用の電気信号をデータ信号に変換して自身と接続されたユーザー端末機に伝送する多数の電力線モデムと、を含むことを特徴とする。
【００１７】
ここで、前記多数の電力線モデムはそれぞれ、前記同軸ケーブル、前記電力線、テレビ受像機、及び前記多数のユーザー端末機のうち、自身と接続されるユーザー端末機を連結するための接続手段と、印加される信号をフィルターリングして、前記同軸ケーブルを通じて伝送される放送信号のみを前記テレビ受像機に供給する帯域フィルターと、前記同軸ケーブル及び前記電力線を通じて伝送された近距離通信用の電気信号の中から選択された最適の近距離通信用の電気信号をデータ信号に変換して自身と接続されたユーザー端末機に供給し、自身と接続されたユーザー端末機から発信されたデータ信号を近距離通信用の電気信号に変換する信号処理器と、前記同軸ケーブルを通じて伝送された放送信号を前記帯域フィルターにカップリングさせて、前記同軸ケーブル及び前記電力線を通じて伝送された近距離通信用の電気信号の中から最適の近距離通信用の電気信号を選択し前記信号処理器にカップリングさせて、前記信号処理器により変換された近距離通信用の電気信号を前記同軸ケーブル及び前記電力線を通じて伝送するカップリング部と、を含むことを特徴とする。
【００１８】
本発明の別の実施例による電力線モデムを用いた近距離通信システムは、電力を供給して近距離通信用の電気信号を伝送するための電力線と、音声信号と近距離通信用の電気信号を伝送するための電話線と、近距離通信を行うための多数のユーザー端末機と、前記電力線及び前記電話線に連結され、前記多数のユーザー端末機のいずれかのユーザー端末機に接続され、自身と接続されたユーザー端末機から出力されたデータ信号を近距離通信用の電気信号に変換させて前記電力線及び前記電話線に伝送して、前記電力線及び前記電話線を通じて伝送された近距離通信用の電気信号の中から最適の近距離通信用の電気信号をデータ信号に変換させて自身と接続されたユーザー端末機に伝送する多数の電力線モデムと、を含むことを特徴とする。
【００１９】
ここで、前記多数の電力線モデムはそれぞれ、前記電力線、前記電話線、電話機、及び前記多数のユーザー端末機のうち、自身と接続されるユーザー端末機を連結するための接続手段と、前記電力線及び前記電話線を通じて伝送された近距離通信用の電気信号の中から選択された最適の近距離通信用の電気信号をデータ信号に変換させて自身と接続されたユーザー端末機に供給し、自身と接続されたユーザー端末機から発信されたデータ信号を近距離通信用の電気信号に変換させる信号処理器と、前記電力線及び前記電話線を通じて伝送された近距離通信用の電気信号の中から最適の近距離通信用の電気信号を選択し前記信号処理器にカップリングさせて、前記信号処理器により変換された近距離通信用の電気信号を前記電力線及び前記電話線を通じて伝送するカップリング部と、を含むことを特徴とする。
【発明の効果】
【００２０】
前記構成を有する本発明による多重機能を有する電力線モデム及びそれを用いた近距離通信システムは、ケーブルテレビ用の同軸ケーブル、電力線、及び電話線を全て用いて近距離通信を行うことにより、電力線に接続された電子機器及び電気製品の電力消費による影響を受けずに、最適の近距離通信を行うことができるので、同軸ケーブル及び電話線の活用性を高めることができる。
【００２１】
そして、本発明による多重機能を有する電力線モデム及びそれを用いた近距離通信システムは、ブロッキングフィルターを用いることなくケーブルテレビ用の同軸ケーブル、電力線、及び電話線を全て用いて近距離通信を行うことができる。
【発明を実施するための最良の形態】
【００２２】
以下、添付する図面を参照して本発明の好適な実施例を詳細に説明する。
図１は、本発明の実施例による多重機能を有する電力線モデムを用いた近距離通信システムの模式図である。図１を参照すると、本発明による近距離通信システムは、同軸ケーブル(100)、電力線(200)、電話線(300)、テレビ受像機(400)、ユーザー端末機(500)、電話機(600)、そして多重機能を有する電力線モデム(700)を備える。
【００２３】
同軸ケーブル(100)は、会社や家庭内に設置されて近距離通信網を構築し、放送局(不図示)からの放送信号をテレビ受像機(400)に伝送する。そして、同軸ケーブル(100)は、近距離通信用の電気信号を伝送する役割も果たしている。
【００２４】
電力線(200)は、会社や家庭内に設置されて近距離通信網を構築し、発電所(不図示)から供給される電力を各種の電子機器及び電気製品に送電する。このような電力線(200)は、近距離通信用の電気信号を伝送する役割も果たしている。
【００２５】
電話線(300)は、会社や家庭内に設置されて近距離通信網を構築し、公衆電話交換網(ＰＳＴＮ：Public Switched Telephone Network)(不図示)を通じて交換される音声信号を伝送する。そして、電話線(300)は、近距離通信用の電気信号を伝送する役割も果たしている。
【００２６】
テレビ受像機(400)は、電力線モデム(700)を介して同軸ケーブル(100)と電気的に接続され、同軸ケーブル(100)と電力線モデム(700)を通じて伝送される放送信号を受信する。
【００２７】
ユーザー端末機(500)は、電力線モデム(700)を介して同軸ケーブル(100)、電力線(200)、及び電話線(300)などと電気的に共通接続される。ここで、ユーザー端末機(500)と電力線モデム(700)との間で近距離通信信号が送受信され、同軸ケーブル(100)、電力線(200)、及び電話線(300)を通じて他のユーザー端末機(不図示)との間で電気信号が双方向に伝送される。従ってユーザー端末機(500)は、電力線モデム(700)と接続された同軸ケーブル(100)、電力線(200)、又は電話線(300)を通じて他のユーザー端末機(不図示)と近距離通信を行う。
【００２８】
電話機(600)は、電力線モデム(700)を介して電話線(300)と電気的に接続され、電力線モデム(700)と電話線(300)を通じて伝送される音声信号を外部に出力し、そして入力される音声信号を電力線モデム(700)に出力する。
【００２９】
電力線モデム(700)は、同軸ケーブル(100)を通じて送信されてきた放送信号をテレビ受像機(400)に伝送する。ここで電力線モデム(700)は、ユーザー端末機(500)や他のユーザー端末機から伝送された近距離通信信号がテレビ受像機(400)に供給されないように遮断し、近距離通信信号によりテレビ受像機(400)の画質が低下することを防止する。
【００３０】
電力線モデム(700)は、ユーザー端末機(500)から受信された近距離通信信号を電気信号に変換して同軸ケーブル(100)、電力線(200)、及び電話線(300)に伝送する。これと反対に、電力線モデム(700)に、ユーザー端末機(500)以外の他のユーザー端末機(不図示)から伝送された近距離通信信号が、他の電力線モデム(不図示)により電気信号に変換されて同軸ケーブル(100)、電力線(200)、及び電話線(300)を通じて受信されると、電力線モデム(700)は、同軸ケーブル(100)、電力線(200)、及び電話線(300)を通じて受信された近距離通信信号の中から最適の近距離通信信号を選択してユーザー端末機(500)に伝送する。このとき、電力線モデム(700)は、同軸ケーブル(100)、電力線(200)、及び電話線(300)を通じて受信された近距離通信信号の中から選択された最適の近距離通信信号をユーザー端末機(500)に適合した通信信号に変換させてユーザー端末機(500)に伝送する。ここで、前記他の電力線モデムは本発明によるものであり、電力線モデム(700)と同一なものである。
【００３１】
電力線モデム(700)は、電話線(300)を通じて受信される音声信号を電話機(600)に伝送する。ここで、ユーザー端末機(500)や他のユーザー端末機から伝送された近距離通信信号が電話機(600)に伝送されないように遮断すると共に、近距離通信信号及び／又は放送信号により発生する雑音を除去し、電話機(600)上に雑音が発生しないようにする。
【００３２】
図２は、本発明の実施例による近距離通信システムの拡張した構成を示す模式図である。図２に示されたように、同軸ケーブル(100)、電力線(200)、及び電話線(300)には、多数の電力線モデム(700、700-1〜700-n)が接続され、近距離通信信号を伝送する。ここで、多数の電力線モデム(700-1〜700-n)は、図１に示された電力線モデム(700)と同一な構成及び機能を有する。
【００３３】
電力線モデム(700-1)には近距離通信を行うためのユーザー端末機(500-1)が接続され、そしてテレビ受像機(400-1)及び／又は電話機(600-1)が接続される。電力線モデム(700-n)には近距離通信を行うためのユーザー端末機(500-n)が接続され、そしてテレビ受像機(400-n)及び／又は電話機(600-n)が接続される。これと同様に、電力線モデム(700-2〜700-n-1)にも近距離通信を行うためのユーザー端末機(不図示)が接続され、そしてテレビ受像機(不図示)及び／又は電話機(不図示)が接続される。
【００３４】
図３は、本発明の実施例による多重機能を有する電力線モデムの構成図であって、図１に示された電力線モデムの細部構成を示したものである。図３を参照すると、本発明の電力線モデム(700)は、印加される信号をフィルターリングして、同軸ケーブル(100)を通じて伝送される放送信号のみを通過させてテレビ受像機(400)に出力する帯域フィルター(710)と、同軸ケーブル(100)、電力線(200)、及び電話線(300)を通じて伝送された近距離通信用の電気信号の中から選択された最適の近距離通信用の電気信号をデータ信号に変換させてユーザー端末機(500)に供給し、ユーザー端末機(500)から発信されたデータ信号を近距離通信用の電気信号に変換させる信号処理器(720)と、印加された信号をフィルターリングして雑音を除去すると共に、電話線(300)を通じて伝送された音声信号のみを通過させて電話機(600)に出力し、電話機(600)から出力された音声信号を通過させる雑音フィルター(730)と、同軸ケーブル(100)を通じて伝送された放送信号を帯域フィルター(710)にカップリングさせて、同軸ケーブル(100)、電力線(200)、及び電話線(300)を通じて伝送された近距離通信用の電気信号の中から最適の近距離通信用の電気信号を選択して信号処理器(720)にカップリングさせて、信号処理器(720)により変換された近距離通信用の電気信号を同軸ケーブル(100)、電力線(200)、及び電話線(300)を通じて伝送して、電話線(300)を通じて伝送された音声信号を雑音フィルター(730)にカップリングさせて、雑音フィルター(730)を通過した音声信号を電話線(300)に伝送するカップリング部(740)を備える。
【００３５】
本発明の電力線モデム(700)は、同軸ケーブル(100)を連結するための第１接続ポート(750-1)と、電話線(300)を連結するための第２接続ポート(750-2)と、テレビ受像機(400)を連結するための第３接続ポート(750-3)と、ユーザー端末機(500)を連結するための第４接続ポート(750-4)と、電話機(600)を連結するための第５接続ポート(750-5)と、電力線(200)を連結するためのプラグ(760)を備える。ここで、プラグ(760)はコンセント(不図示)を通じて電力線(200)と接続される。
【００３６】
帯域フィルター(710)は、カップリング部(740)から供給された信号をフィルターリングすることにより、同軸ケーブル(100)を通じて伝送される放送信号のみを通過させ、また放送信号以外の近距離通信用の電気信号及び／又は音声信号がテレビ受像機(400)に供給されないように遮断して、近距離通信用の電気信号及び／又は音声信号によりテレビ受像機(400)の画質が低下することを防止する。ここで、帯域フィルター(710)を通過した放送信号は第３接続ポート(750-3)を通じてテレビ受像機(400)に供給される。
【００３７】
このように、帯域フィルター(710)が放送信号のみをテレビ受像機(400)に供給し、近距離通信用の電気信号によりテレビ受像機(400)の画質が低下することを防止することにより、本発明の電力線モデム(700)は同軸ケーブル(100)を通じて近距離通信用の電気信号を伝送可能にする。
【００３８】
信号処理器(720)は、カップリング部(740)を通じて選択された最適の近距離通信用の電気信号を近距離通信用のデジタル信号に変換させて、ユーザー端末機(500)から出力されたデジタル信号が変換された近距離通信用のデジタル信号を近距離通信用の電気信号に変換させるための第１信号変換部(721)と、第１信号変換部(721)により変換された近距離通信用のデジタル信号をデータ信号に変換させて、ユーザー端末機(500)から出力されたデータ信号を近距離通信用のデジタル信号に変換させて第１信号変換部(721)に出力する第２信号変換部(722)と、第２信号変換部(722)により変換されたデジタル信号をユーザー端末機(500)に接続させて、ユーザー端末機(500)から出力されたデータ信号を第２信号変換部(722)に接続させるためのインタフェース(723)と、第１信号変換部(721)により変換された近距離通信用の電気信号を増幅してカップリング部(740)に出力するラインドライバー(724)を備える。
【００３９】
第１信号変換部(721)は、同軸ケーブル(100)、電力線(200)、及び電話線(300)を通じて伝送された近距離通信用の電気信号の中から最適の近距離通信用の電気信号がカップリング部(740)により選択されて入力されると、選択された最適の近距離通信用の電気信号を近距離通信用のデジタル信号に変換して第２信号変換部(722)に出力する。また、第１信号変換部(721)は、ユーザー端末機(500)から出力されたデジタル信号が第２信号変換部(722)を通じて近距離通信用のデジタル信号に変換されて入力されると、この近距離通信用のデジタル信号を近距離通信用の電気信号に変換してラインドライバー(724)に出力する。
【００４０】
第２信号変換部(722)は、第１信号変換部(721)により変換された近距離通信用のデジタル信号をデータ信号に変換してインタフェース(723)に出力する。また、第２信号変換部(722)は、ユーザー端末機(500)から出力されたデータ信号がインタフェース(723)を通じて入力されると、このデータ信号を近距離通信用のデジタル信号に変換して第１信号変換部(721)に出力する。
【００４１】
インタフェース(723)は、第２信号変換部(722)により変換されたデジタル信号を、第４接続ポート(750-4)を通じてユーザー端末機(500)に出力する。また、インタフェース(723)は、ユーザー端末機(500)から出力されたデータ信号が第２接続ポート(750-4)を通じて入力されると、このデータ信号を第２信号変換部(722)に出力する。
【００４２】
ラインドライバー(724)は、第１信号変換部(721)により変換された近距離通信用の電気信号を、十分な信号強度を有するように増幅させてカップリング部(740)に出力する。
【００４３】
雑音フィルター(730)は、カップリング部(740)を通じて印加される信号をフィルターリングして雑音を除去すると共に、電話線(300)を通じて伝送される音声信号のみを通過させる。ここで、雑音フィルター(730)を通過した音声信号は、第５接続ポート(750-5)を通じて電話機(600)に伝送される。そして、雑音フィルター(730)は、電話機(600)から出力された音声信号が第５接続ポート(750-5)を通じて入力されると、この音声信号をフィルターリングしてカップリング部(740)に出力する。
【００４４】
このように、雑音フィルター(730)が電話線(300)を通じて伝送される音声信号のみを電話機(600)に供給し、雑音を除去して音声品質が低下することを防止することにより、本発明の電力線モデム(700)は、電話線(300)を通じて近距離通信用の電気信号の伝送を可能にしている。
【００４５】
カップリング部(740)は、同軸ケーブル(100)が接続する第１接続ポート(750-1)と、電話線(300)が接続する第２接続ポート(750-2)と、電力線(200)が接続するプラグ(760)と、テレビ受像機(400)に繋がる帯域フィルター(710)と、ユーザー端末機(500)に繋がる信号処理機(720)と、電話機(600)に繋がる雑音フィルター(730)とに接続されている。
【００４６】
カップリング部(740)は、ユーザー端末機(500)から出力された電気信号が第１信号変換部(721)からラインドライバー(724)を介して伝送されるように、信号処理機(720)と接続されている。また、カップリング部(740)は、ユーザー端末機(500)へ向かう電気信号が信号処理機(720)の第１信号変換部(721)に直接伝送されるように、信号処理機(720)と接続されている。
【００４７】
カップリング部(740)の内部は、ラインドライバー(724)からの信号又は第１信号変換部(721)への信号が、例えばカップリング部(740)内部に設けられたルーター部分（不図示）を介して第１接続ポート(750-1)、第２接続ポート(750-2)、又はプラグ(760)へ選択可能に分岐して配線されているので、信号処理器（720）と第１接続ポート(750-1)、第２接続ポート(750-2)、若しくはプラグ(760)との間は双方向に信号が伝送可能に接続されている。
【００４８】
また、カップリング部(740)の内部は、第１接続ポート(750-1)からの放送信号又は近距離通信用の電気信号が帯域フィルター(710)及び／又は第１信号変換部(721)に伝送されるように分岐して配線され、また第２接続ポート(750-2)からの音声信号又は近距離通信用の電気信号が雑音フィルター(730)及び／又は第１信号変換部(721)に伝送されるように分岐して配線されている。
【００４９】
さらにカップリング部(740)の内部は、プラグ(760)からの配線の途中で、例えば、トランスとコンデンサーからなる部品（不図示）、コンデンサーとインダクターからなる部品（不図示）、又はコンデンサーからなる部品（不図示）等が設けられても良い。このようにして、電力供給用の商用周波数の電力を遮断して、高周波信号である電気信号のみを注入及び抽出している。
【００５０】
カップリング部(740)は、同軸ケーブル(100)を通じて伝送された放送信号が第１接続ポート(750-1)を介して入力されると、この放送信号を帯域フィルター(710)にカップリングさせる。
【００５１】
カップリング部(740)は、同軸ケーブル(100)、電力線(200)、及び電話線(300)を通じて伝送された近距離通信用の電気信号の中から最適の近距離通信用の電気信号を選択して信号処理器(720)の第１信号変換(721)に伝達する。そして、例えばパケット通信の場合には、信号処理器(720)のラインドライバー(724)から出力された近距離通信用の電気信号を、カップリング部(740)のルーター部分（不図示）が、パケットヘッダーのＩＰヘッダーを読み取り、内部に格納されている宛先ＩＰアドレスをもとに、送信元である第１接続ポート(750-1)、プラグ(760)、又は第２接続ポート(750-2)を通じてそれぞれ同軸ケーブル(100)、電力線(200)、又は電話線(300)に電気信号を伝送する。
【００５２】
カップリング部(740)は、電話線(300)を通じて伝送された音声信号が第２接続ポート(750-2)に入力されると、この音声信号を雑音フィルター(730)にカップリングさせる。そして、カップリング部(740)は、電話機(600)から出力され雑音フィルター(730)を通過した音声信号を第２接続ポート(750-2)から電話線(300)に伝送する。
【００５３】
このように、同軸ケーブル(100)、電力線(200)、及び電話線(300)を通じて伝送された近距離通信用の電気信号の中からカップリング部(740)が最適な近距離通信用の電気信号を選択してユーザー端末機(500)に供給することにより、カップリング部(740)は、電力線(200)に接続された電気製品等(不図示)の電力消費によって減殺された近距離通信用の電気信号がユーザー端末機(500)に伝達されることを防止する。即ち、本発明は、同軸ケーブル(100)、電力線(200)、及び電話線(300)を通じて伝送された近距離通信用の電気信号の中から最適な近距離通信用の電気信号を選択してユーザー端末機(500)に供給することにより、電力線(200)のみを用いて近距離通信を行う場合に比べて最上の近距離通信品質を提供することができる。
【００５４】
そして、本発明は、同軸ケーブル(100)、電力線(200)、及び電話線(300)を全て用いて近距離通信を行うことにより、同軸ケーブル(100)及び電話線(300)の活用性を高めることができる。
【００５５】
図４は、本発明の一実施例による多重機能を有する電力線モデムの斜視図である。図４に示したように、本発明の一実施例による電力線モデム(700)は、同軸ケーブル(100)を連結するための第１接続ポート(750-1)と、電話線(300)を連結するための第２接続ポート(750-2)と、テレビ受像機(400)を連結するための第３接続ポート(750-3)と、ユーザー端末機(500)を連結するための第４接続ポート(750-4)と、電話機(600)を連結するための第５接続ポート(750-5)と、電力線(200)を連結するためのプラグ(760)を全て備える。
【００５６】
このような電力線モデム(700)は、同軸ケーブル(100)、電力線(200)、及び電話線(300)を通じて近距離通信を行う。即ち、本発明の一実施例による電力線モデム(700)は、帯域フィルター(710)、信号処理器(720)、雑音フィルター(730)、及びカップリング部(740)を全て備える。
【００５７】
図５は、本発明の別の実施例による多重機能を有する電力線モデムの斜視図である。図５に示したように、本発明の別の実施例による電力線モデム(700)は、同軸ケーブル(100)を連結するための第１接続ポート(750-1)と、テレビ受像機(400)を連結するための第３接続ポート(750-3)と、ユーザー端末機(500)を連結するための第４接続ポート(750-4)と、電力線(200)を連結するためのプラグ(760)を備える。
【００５８】
このような電力線モデム(700)は、同軸ケーブル(100)及び電力線(200)を通じて近距離通信を行う。即ち、本発明の別の実施例による電力線モデム(700)は、帯域フィルター(710)、信号処理器(720)、及びカップリング部(740)を備える。
【００５９】
このような本発明の別の実施例による電力線モデムが適用される本発明の近距離通信システムは、電話線(300)と電話機(600)を備えていない。
【００６０】
図６は、本発明のさらに別の実施例による多重機能を有する電力線モデムの斜視図である。図６に示したように、本発明のさらに別の実施例による電力線モデム(700)は、電話線(300)を連結するための第２接続ポート(750-2)と、ユーザー端末機(500)を連結するための第４接続ポート(750-4)と、電話機(600)を連結するための第５接続ポート(750-5)と、電力線(200)を連結するためのプラグ(760)を備える。
【００６１】
このような電力線モデム(700)は、電力線(200)及び電話線(300)を通じて近距離通信を行う。即ち、本発明のさらに別の実施例による電力線モデム(700)は、信号処理器(720)、雑音フィルター(730)、及びカップリング部(740)を備える。
【００６２】
このような本発明のさらに別の実施例による電力線モデムが適用される本発明の近距離通信システムは、同軸ケーブル(100)とテレビ受像機(400)を備えていない。なお本発明の電力線モデム(700)は、同軸ケーブル(100)、電話線(300)、電力線(200)、ＬＡＮ線だけでなく、ツイストペアー(Twist Pair)からなる全ての信号線を利用して近距離通信することができる。例えば、本発明の電力線モデム(700)に使用可能な線は、ＲＳ−２３２、４８５、４２２、及びビデオ線などがある。
【００６３】
本発明の電力線モデム(700)は、各家庭のドアフォンを用いた通信及び共同住宅の共同玄関管理システムに適用することができ、また家や建物の外で使用される装備や自動車などにも適用することができる。
【００６４】
本発明の技術思想は、前記好適な実施例により具体的に記述されているが、前記実施例は説明するためのものであり、制限するためのものではないことを注意しなければならない。また、本発明の技術分野に係る通常の専門家であれば、技術思想の範囲で多様な実施例が可能であることが理解できる。
【図面の簡単な説明】
【００６５】
【図１】本発明の実施例による多重機能を有する電力線モデムを用いた近距離通信システムの模式図。
【図２】本発明の実施例による近距離通信システムの拡張した構成を示した模式図。
【図３】本発明の実施例による多重機能を有する電力線モデムの構成図。
【図４】本発明の一実施例による多重機能を有する電力線モデムの斜視図。
【図５】本発明の別の実施例による多重機能を有する電力線モデムの斜視図。
【図６】本発明のさらに別の実施例による多重機能を有する電力線モデムの斜視図。
【符号の説明】
【００６６】
100：同軸ケーブル
200：電力線
300：電話線
400：テレビ受像機
500：ユーザー端末機
600：電話機
700：電力線モデム
710：帯域フィルター
720：信号処理器
721：第１信号変換部
722：第２信号変換部
723：インタフェース
724：ラインドライバー
730：雑音フィルター
740：カップリング部
750-1〜750-5：第１〜第５接続ポート
760：プラグ
【図１】
2009033745.tif 000003
【図２】
2009033745.tif 000004
【図３】
2009033745.tif 000005
【図４】
2009033745.tif 000006
【図５】
2009033745.tif 000007
【図６】
2009033745.tif 000008